(57)【要約】【課題】  通常のショールとして使用することができるだけでなく、授乳を必要とする母親が外出先で一目を気にすることなく簡単に授乳を行うことができる体裁のよいショールを提供する。【解決手段】  ショール本体１の襟側縁部１１の中心部を挟む位置に掛止によって相互間をループ状の首掛け部３に形成するための雌雄対をなす掛止手段２を設けたことを特徴とする。【選択図】  図３
0003129350.tif 000002
【実用新案登録請求の範囲】
【請求項１】
ショール本体の襟側縁部の中心部を挟む位置に掛止によって相互間をループ状の首掛け部に形成するための雌雄対をなす掛止手段を設けたことを特徴とするショール。
【請求項２】
雌雄対をなす掛止手段は、その一方が釦であり、他方がこの釦を掛止させる掛止穴又は掛止用ループである請求項１に記載のショール。
【請求項３】
雌雄対をなす掛止手段が複数対間隔をおいて配設して首掛け部の大きさを調節可能とした請求項２に記載のショール。
【請求項４】
ショール本体を長方形状よりなるものとした請求項１又は２又は３に記載のショール。
【請求項５】
ショール本体を網目状生地よりなるものとした請求項１又は２又は３又は４に記載のショール。
【請求項６】
ショール本体の襟側縁部が保形性を備えた折り返し部とされている請求項１又は２又は３又は４又は５に記載のショール。
【考案の詳細な説明】
【技術分野】
【０００１】
本考案は、通常のショールとして使用することができるだけでなく、授乳を必要とする母親が外出先で一目を気にすることなく簡単に授乳を行うことができるショールに関するものである。
【背景技術】
【０００２】
母乳による授乳は胸部を露出するものであるため人前で行い難いものであって、授乳室がある場所以外への外出が難いものである。
【０００３】
そこで、授乳状態を人目から隠すものとして、例えば、授乳用ケープ（特許文献１参照）が知られているが、これは人目から授乳状態を隠すものとしては優れていても、外出時にこれを携行することは荷物が多くなるという問題がある。
【特許文献１】特開平８−１３４７０４号公報
【考案の開示】
【考案が解決しようとする課題】
【０００４】
本考案は前記のような問題点を解決して、外見上は殆ど通常のショールと殆ど変わることがなくて常時は普通のショールとして使用することができるが、授乳を必要とする母親が外出先で一目を気にすることなく簡単に授乳を行うこともできるショールを目的として完成されたものである。
【課題を解決するための手段】
【０００５】
本考案のショールは、ショール本体の襟側縁部の中心部を挟む位置に掛止によって相互間をループ状の首掛け部に形成するための雌雄対をなす掛止手段を設けたことを特徴とするものを基本とする。そして、この考案において、雌雄対をなす掛止手段はその一方が釦であり、他方がこの釦を掛止させる掛止穴又は掛止用ループであることが好ましい。
【０００６】
また、雌雄対をなす掛止手段が複数対間隔をおいて配設して首掛け部の大きさを調節可能としたてもよい。さらに、前記の考案において、ショール本体を長方形状よりなるものとしたり、網目状生地よりなるものとしたり、ショール本体の襟側縁部を保形性を備えた折り返し部としておくこともできる。
【考案の効果】
【０００７】
このような本考案のショールは、通常はシート状のショール本体の襟側縁部の中心部を挟む位置に設けてある雌雄対をなす掛止手段を掛止させないで一般のショールと同様に肩に掛けたり首に巻いてファッション性を損じることなく使用できるものであるが、外出先で授乳する必要のある母親が赤ちゃんに授乳したいときには、雌雄対をなす掛止手段を掛止させることにより襟側縁部の中心を挟む位置を連繋させれば、襟側縁部の中間にループ状の首掛け部が形成されるから、この首掛け部を母親の首に掛けてショール本体で胸側を隠すようにして着用すれば、ショール本体が身体を動かしてもずれて外れることなく授乳状態を的確に隠すことができることとなる。そして、ショール本体が胸側となるのでその自重により首掛け部の前側と胸との間に間隙ができるので、母親はこの間隙から赤ちゃんの様子を見ながら授乳できる。
【０００８】
また、雌雄対をなす掛止手段の一方を釦とし、他方をこの釦を掛止させる掛止穴又は掛止用ループとしておけば、釦による掛止は片手による手指による着脱もでき、また、自然に外れることがないので掛止手段としては最も好ましいものであるが、雌雄対をなす掛止手段として面ファスナーやホックなどでも代用できることは勿論である。
【０００９】
また、雌雄対をなす掛止手段が複数対間隔をおいて配設して首掛け部の大きさを調節可能としておけば、首掛け部の前側と胸との間にできる間隙の広さを調節することができるので、着用者の体格や赤ちゃんの大きさにあった間隙とすることができる。
【００１０】
さらに、ショール本体の形状は特に限定されることはないが、長方形状のものとすれば胸の両側方向も的確に隠すことができ、また、ショール本体をガーゼ織の布地などの網目状生地よりなるものとすれば、通気性がよいので特に夏場において赤ちゃんが蒸れることがないうえ、ショール本体の内側には織目間から光が入り込むので、授乳状態を外部から遮る効果を損なうことなく、母親は首掛け部の前側と胸との間隙から赤ちゃんの様子をより見易いものとなり、さらにまた、ショール本体の襟側縁部が保形性を備えた折り返し部としておけば、首掛け部の前側と胸との間にできる間隙が一定の形状を保持するものとなるので、首掛け部の前側が風等の作用により内側に倒れこんで赤ちゃの様子を見ずらくなるという不都合の生じないものとなる。
【考案を実施するための最良の形態】
【００１１】
次に、本考案の好ましい実施の形態を図面に基づき説明する。
１はショール本体であり、該ショール本体１は襟側縁部１１の中心部を挟む位置には掛止によって相互間をループ状の首掛け部に形成するための雌雄対をなす掛止手段２、２を設けており、この掛止手段２、２を連繋することによりこの襟側縁部の中間が図３に示しすように首掛け部３に形成可能としてある。
【００１２】
前記の掛止手段２、２として図１に示すものは、ショール本体１は襟側縁部１１の中心部を挟む位置の一方に釦２１を、他方に該釦２１を掛止する釦掛止穴２２を設けたものであり、また、図２に示すものは、図１のものとは異なり釦掛止穴２２の代わりに掛止用ループ２３としてある。
【００１３】
また、図１及び図２に示すものでは、釦２１を間隔をおいて複数すなわち３個を配設するか、これとは逆に釦掛止穴２２又は掛止用ループ２３を間隔をおいて複数配設するなど、雌雄対をなす掛止手段２、２の一方を間隔をおいて配設して首掛け部３の大きさを調節可能としている。なお、掛止手段２、２としては釦２１と釦掛止穴２２又は掛止用ループ２３としたものが片手による手指による着脱もでき、また、自然に外れることがないので好ましいが、これに限ることなくホック、面状ファスナー等の他の掛止手段を採用してもよいものである。また、前記した釦掛止穴２２や掛止用ループ２３としたときはアテンションラベル４の取付紐４ａを挿通させることもできるものである。また、釦２１付け個所に洗濯ネーム５を縫い付けることによりこれを釦付補強部とすることができる。
【００１４】
このように構成されたものは、通常はショール本体１の襟側縁部１１の中心部を挟む位置に掛止によって相互間をループ状の首掛け部に形成するための雌雄対をなす掛止手段２、２を設けただけのものであるから、掛止手段２、２を連繋せずに広げた状態でショールとして肩に掛けたり首に巻いてファッション性を損ねることなく使用できるものであるが、前記したとおり、ショール本体１は襟側縁部１１の中心部を挟む位置に掛止によって相互間をループ状の首掛け部３に形成できる雌雄対をなす掛止手段２、２を設けてあるので、掛止手段２、２を掛止めして連繋することによりこの襟側縁部１１の中間を図３に示すような首掛け部３に形成できるものであって、授乳を必要とする乳児を連れた母親が外出先で赤ちゃんに授乳する場合には、掛止手段２、２によりショール本体１の襟側縁部中央１１ａの両側を連繋させて首掛け部３を形成してこれを首に掛止させてショール本体１で胸側を隠すようにして着用する。そうすれば、ショール本体１が首掛け部３を首に掛止されて該ショール本体１が身体を動かしてもずれ落ちることなくなるので、授乳状態を的確に隠すことができることとなる。そして、ショール本体１が胸側となってその自重により首掛け部３の前側と胸との間に間隙ができるので、この間隙から赤ちゃんの様子を見ながら授乳できるものとなる。
【００１５】
なお、ショール本体１の襟側縁部１１を保形性を備えた折り返し部としておけば、首掛け部３の前側３ａと胸との間にできる間隙Ｓが一定の空間を保持するものとなって、首掛け部３の前側３ａが風等の作用により内側に倒れこんで赤ちゃんの様子を見ずらくなるという不都合の生じないものとなる。この場合、襟側縁部中央１１ａにのみ保形性のための心地を縫いこんだりこの部分を貼着したものとしてもよい。
【図面の簡単な説明】
【００１６】
【図１】本考案の実施形態の１例を裏面側から示す一部切欠平面図。
【図２】本考案の実施形態の他例を裏面側から示す一部切欠平面図。
【図３】本考案の実施形態の使用例を示す斜視図。
【符号の説明】
【００１７】
１  ショール本体
11  襟側縁部
２  掛止手段
21  釦
22  釦掛止穴
３  首掛け部
【図１】
0003129350.tif 000003
【図２】
0003129350.tif 000004
【図３】
0003129350.tif 000005